(57)【要約】【課題】画像入力装置へ十分な電力を供給することが可能であり、最適化された電源を備える記録装置を提供すること。【解決手段】ホストコンピュータに接続することが可能な第１のインターフェースと、画像入力装置に接続することが可能な電力供給線を有する第２のインターフェースと、該電力供給線から前記画像入力装置が消費することができる電力を低消費な第１の電力消費モードと高消費な第２の電力消費モードに制御することが可能な電力消費制御手段とを備え、前記画像入力装置が接続されたときの電力負荷状態に応じて前記電力消費モードを切り換えることを特徴とする。【選択図】図１
2006007553.tif 000002
【特許請求の範囲】
【請求項１】
ホストコンピュータに接続することが可能な第１のインターフェースと、画像入力装置に接続することが可能な電力供給線を有する第２のインターフェースと、該電力供給線から前記画像入力装置が消費することができる電力を低消費な第１の電力消費モードと高消費な第２の電力消費モードに制御することが可能な電力消費制御手段とを備え、前記画像入力装置が接続されたときの電力負荷状態に応じて前記電力消費モードを切り換えることを特徴とする記録装置。
【請求項２】
前記ホストコンピュータからの印字命令に基づき記録動作を行っている間、前記第１の電力消費モードを設定することを特徴とする請求項１記載の記録装置。
【請求項３】
前記ホストコンピュータからの印字命令に基づき記録動作を行っている間に前記画像入力装置が接続されたことを検出すると、ホストコンピュータにその旨を通知することを特徴とする前記請求項又は２記載の記録装置。
【請求項４】
前記通知結果に応じてメッセージウィンドウを表示し、前記画像入力装置使用者に対してメッセージを発することを特徴とする請求項１〜３の何れかに記載の記録装置。
【発明の詳細な説明】
【技術分野】
【０００１】
本発明は、パソコンを介さずにデジタルカメラ等の画像入力装置と直接繋いで写真印刷することができる記録装置（以下、ダイレクトプリンタ）の電力管理方法に関するものであり、更に詳しくは、ダイレクトプリンタの電源、負荷状況に応じて画像入力装置に供給する電力量を調整することと、その状況を装置の使用者に通知する方法に関する。
【背景技術】
【０００２】
従来、前記画像入力装置が電力供給線から消費できる電流は最大で１００ｍＡ程度であり、供給量を調整する程の大きさではなかった。
【発明の開示】
【発明が解決しようとする課題】
【０００３】
しかしながら、前述の電流量では画像入力装置がダイレクトプリントを行うために必要な全ての電力を賄うことができず、不足分を自己の電力で補う必要が生じる。このため、バッテリー駆動の画像入力装置はダイレクトプリント中に電力がなくなってしまう危険がある。
【０００４】
このため、画像入力装置がダイレクトプリンタから消費できる前記電流量を増やす必要がある。これを実現するにはダイレクトプリンタの電源容量を増やさなければならないが、その増加分は装置の原価に鑑み必要最小限に留める必要がある。
【０００５】
本発明は上記事情に鑑みてなされたもので、その目的とする処は、画像入力装置へ十分な電力を供給することが可能であり、最適化された電源を備える記録装置を提供することにある。
【課題を解決するための手段】
【０００６】
上記目的を達成するため、本発明は、ホストコンピュータに接続することが可能な第１のインターフェースと、画像入力装置に接続することが可能な電力供給線を有する第２のインターフェースと、該電力供給線から前記画像入力装置が消費することができる電力を低消費な第１の電力消費モードと高消費な第２の電力消費モードに制御することが可能な電力消費制御手段とを備え、前記画像入力装置が接続されたときの電力負荷状態に応じて前記電力消費モードを切り換えることを特徴とする。
【発明の効果】
【０００７】
本発明によれば、画像入力装置へ十分な電力を供給することが可能であり、最適化された電源を備える記録装置を実現することが可能となる。
【発明を実施するための最良の形態】
【０００８】
以下に本発明の実施の形態を添付図面に基づいて説明する。
【０００９】
図１は本発明に係る記録装置（ダイレクトプリンタ）の構成を示すブロック図、図３はは本発明に係るダイレクトプリンタ１０がＰＣ２０及びデジタルカメラ３０に接続されている様子を示す図である。
【００１０】
尚、本実施の形態では、ダイレクトプリンタ１０とＰＣ２０及びダイレクトプリンタ１０とデジタルカメラ３０を繋ぐインターフェースとしてUniversal Serial Bus（以下、ＵＳＢ）を想定している。又、代表的な画像入力装置としてデジタルカメラを挙げたが、本発明はデジタルカメラに限定されたものでないことは言うまでもない。ＵＳＢ規格の詳細については、別途ＵＳＢＩＦの提供する仕様書を参照されたい。
【００１１】
先ず、はじめに図１について説明する。
【００１２】
ダイレクトプリンタ１０は、プリンタシステム１０３、ＵＳＢホストコントローラ１０２、ＵＳＢデバイスコントローラ１０１とから構成される。
【００１３】
ＵＳＢデバイスコントローラ１０１は、ＵＳＢデバイスとしてＵＳＢ通信を制御するコントローラであり、ＵＳＢケーブルＣ１によってＰＣ２０のＵＳＢホストコントローラ２０１と接続され、ＵＳＢホストコントローラ２０１から送信される印字データや制御コマンドを受信し、プリンタシステム１０３内にある不図示のバッファに格納する。又、ＵＳＢホストコントローラ２０１からの要求に基づいて、プリンタシステム１０３のステータス情報をＵＳＢホストコントローラ２０１に送信する。
【００１４】
ＵＳＢホストコントローラ１０２は、ＵＳＢホストとしてＵＳＢ通信を制御するコントローラであり、ＵＳＢケーブルＣ２によってデジタルカメラ３０のＵＳＢデバイスコントローラ３０１と接続され、ＵＳＢデバイスコントローラ３０１を経由してＤＳＣシステム３０にある印字データや制御コマンドを受信する。
【００１５】
プリンタシステム１０３は、印字に関わる全ての機構を制御するプリントエンジンであり、ＰＣ２０やデジタルカメラ３０から受信する前述の印字データや制御コマンドに基づいて不図示のプリント機構やプリントヘッドを制御する。
【００１６】
ＰＣ２０は、ＰＣシステム２０２、モニタ２０３、ＵＳＢホストコントローラ２０１から構成されるパーソナルコンピュータである。
【００１７】
ＵＳＢホストコントローラ２０１は、ＵＳＢホストとしてＵＳＢ通信を制御するコントローラであり、ＰＣシステム２０２内の不図示のメモリ内にある印字データや制御コマンドをＵＳＢデバイスコントローラ１０１に対して送信する。
【００１８】
ＰＣシステム２０２は、ＰＣ全体を制御する情報処理システムである。
【００１９】
デジタルカメラ３０は、ＤＳＣシステム３０２及びＵＳＢデバイスコントローラ３０１から構成される。
【００２０】
ＵＳＢデバイスコントローラ３０１は、ＵＳＢデバイスとしてＵＳＢ通信を制御するコントローラであり、ＵＳＢホストコントローラ１０２からの要求に基づいて、ＤＳＣシステム内の不図示のメモリ内にある印字データや制御コマンドをＵＳＢホストコントローラ１０２に送信する。
【００２１】
ＤＳＣシステムは、撮像や再生等デジタルカメラ動作に必要な全ての機構を制御するシステムコントローラである。
【００２２】
次に、図２のフローチャートを用いて本発明によるダイレクトプリンタの動作を説明する。尚、Printer Driver処理は、ＰＣ２０にインストールされたダイレクトプリンタ１０専用プリンタドライバの処理を、Printer 処理はダイレクトプリンタ１０の処理を、ＤＳＣ処理はデジタルカメラ３０の処理を示す。
【００２３】
ダイレクトプリンタ１０は、デジタルカメラ３０が接続（Ｄ１）されるとそれを認識（ＰＲ１）し、ステータスを「ＤＳＣ未接続」から「ＤＳＣ接続」に変更する。次に、デジタルカメラ３０に対してＵＳＢバスリセットを送信（ＰＲ４）し、ＰＣ２０から印字データを受信中の場合（ＰＲ４）は、何もせずにＰＣ印字が終了するのを待ってから、ＰＣ印字中でない場合（ＰＲ４）は、デジタルカメラ３０に対してＵＳＢの初期通信を進め、ＵＳＢコンフィギュレーション設定を完了（ＰＲ５）する。
【００２４】
ＰＣ２０は、ダイレクトプリンタ１０のステータスを定期的に監視し、「ＤＳＣ接続」状態であることを検出（ＰＣ１）すると、メッセージウィンドウをモニタ２０３に表示（ＰＣ２）する。
【００２５】
デジタルカメラ３０は、ダイレクトプリンタ１０からＵＳＢバスリセットを受信するとＵＳＢポートの初期化（Ｄ２）を行い、更にダイレクトプリンタ１０からの指示に従ってＵＳＢポートの設定（Ｄ３）を行う。
【００２６】
ここで、デジタルカメラ３０はＵＳＢ規格に則り、ダイレクトプリンタ１０に接続（Ｄ１）されてから、ＵＳＢポートの設定が完了するまでは最大１００ｍＡ、ＵＳＢポートの設定完了以降は最大５００ｍＡまで、Ｃ２にある不図示の電源供給線（Ｖbus ）から電力消費することが可能である。
【００２７】
即ち、負荷電力の大きいＰＣ印字実行中にデジタルカメラ３０が接続された（Ｄ１）場合、ＰＣ印字が完了するまでデジタルカメラ３０に対するＵＳＢポート設定命令を発行しない（ＰＲ４のループ）ため、デジタルカメラ３０が電力供給線から消費する電力を１００ｍＡ以下に抑制する。又、この状態をＰＣ２０のモニタ２０３に表示することで、ユーザに通達する（ＰＣ２）。
【００２８】
又、ＰＣ印字が完了した後にＵＳＢポート設定命令を発行（ＰＲ５）し、デジタルカメラ３０が電力供給線から消費できる電力を最大５００まで増やす。
【産業上の利用可能性】
【００２９】
本発明は、パソコンを介さずにデジタルカメラ等の画像入力装置と直接繋いで写真印刷することができる記録装置に対して適用可能である。
【図面の簡単な説明】
【００３０】
【図１】本発明のブロック図である。
【図２】本発明のフローチャートである。
【図３】本発明の具体的応用例を示す図である。
【符号の説明】
【００３１】
１０    ダイレクトプリンタ
１０１  ＵＳＢデバイスコントローラ
１０２  ＵＳＢホストコントローラ
１０３  プリンタシステム
２０    パーソナルコンピュータ（ＰＣ）
２０１  ＵＳＢホストコントローラ
２０２  ＰＣシステム
２０３  モニタ
３０    デジタルカメラ
３０１  ＵＳＢデバイスコントローラ
３０２  ＤＳＣシステム
Ｃ１    ＵＳＢケーブル
Ｃ２    ＵＳＢケーブル
【図１】
2006007553.tif 000003
【図２】
2006007553.tif 000004
【図３】
2006007553.tif 000005